(57)【要約】【課題】機械的に、および電気的に接続状態にある医用画像診断装置本体から安全に分離することができる寝台装置を提供する。【解決手段】実施形態に係る寝台装置は、医用画像診断装置本体と機械的に、および電気的に接続可能な寝台装置であって、走行部と、ロックペダルとを備える。走行部は、寝台装置と床面との間に設けられる。ロックペダルは、走行部の駆動のロック、アンロックの操作が可能である。ロックペダルによる操作と、医用画像診断装置本体との電気的な接続とは、連動する。【選択図】  図２
2019141115.tif 000002
【特許請求の範囲】
【請求項１】
医用画像診断装置本体と機械的に、および電気的に接続可能な寝台装置であって、
前記寝台装置と床面との間に設けられた走行部と、
前記走行部の駆動のロック、アンロックの操作が可能なロックペダルと、
を備え、
前記ロックペダルによる操作と、前記医用画像診断装置本体との電気的な接続とが連動する、
寝台装置。
【請求項２】
前記医用画像診断装置本体と前記寝台装置とが機械的に接続された状態で、前記ロックペダルによる操作に応じて前記走行部の駆動がロックされると、前記医用画像診断装置本体と前記寝台装置とが電気的に接続される、
請求項１記載の寝台装置。
【請求項３】
前記医用画像診断装置本体と前記寝台装置とが機械的に接続された状態で、前記ロックペダルによる操作に応じて前記走行部の駆動がアンロックされると、前記医用画像診断装置本体と前記寝台装置とが電気的に分離される、
請求項１または２に記載の寝台装置。
【請求項４】
医用画像診断装置本体と機械的に、および電気的に接続可能な寝台装置であって、
前記医用画像診断装置本体と前記寝台装置との機械的な接続状態を検出する第１検出部と、
前記医用画像診断装置本体と前記寝台装置との電気的な接続が可の状態か不可の状態かを検出する第２検出部と、
前記第１検出部と前記第２検出部による検出結果に応じて動作が制限される、前記医用画像診断装置本体と前記寝台装置とを機械的に分離する分離ペダルと、
を備えた寝台装置。
【請求項５】
前記分離ペダルは、
前記第１検出部により前記医用画像診断装置本体と前記寝台装置との機械的な接続が検出され、かつ、前記第２検出部により前記医用画像診断装置本体と前記寝台装置との電気的な接続が不可の状態であると検出されると、前記医用画像診断装置本体と前記寝台装置とを機械的に分離するための動作がロックされる、
請求項４記載の寝台装置。
【請求項６】
医用画像診断装置本体と機械的に、および電気的に接続可能な寝台装置であって、
前記医用画像診断装置本体と前記寝台装置との電気的な接続および電気的な分離を制御する制御部と、
前記医用画像診断装置本体と前記寝台装置との機械的な分離の可否を判定する判定部と、
を備え、
前記判定部は、
機械的な分離の可否を、（ａ）前記寝台装置と床面との間に設けられた走行部の駆動のロック、アンロックの状態と、（ｂ）前記寝台装置にける被検体を載置する位置の近傍に設けられたフェンスの傾きと、の少なくとも１つにもとづいて判定し、
前記制御部は、
前記判定部による判定結果に連動して、電気的な接続および電気的な分離の制御を行う、
寝台装置。
【発明の詳細な説明】
【技術分野】
【０００１】
本発明の実施形態は、寝台装置に関する。
【背景技術】
【０００２】
磁気共鳴イメージング（ＭＲＩ：Magnetic Resonance Imaging）装置で利用される寝台装置には、病室からＭＲＩ装置が設置された検査室まで、被検体を載置して移動可能であるとともに、検査室内でＭＲＩ装置本体と機械的に、および電気的に接続可能な移動式の寝台装置がある。
【０００３】
しかし、ＭＲＩ装置本体と寝台装置とが接続されて通電している状態で、たとえばユーザの誤操作によってＭＲＩ装置本体と寝台装置とが分離されてしまうと、ＭＲＩ装置本体や寝台装置の電気系統が破損してしまう危険がある。
【先行技術文献】
【特許文献】
【０００４】
【特許文献１】特開２０１７−０８６４１６号公報
【発明の概要】
【発明が解決しようとする課題】
【０００５】
本発明が解決しようとする課題は、機械的に、および電気的に接続状態にある医用画像診断装置本体から、寝台装置を安全に分離することである。
【課題を解決するための手段】
【０００６】
実施形態に係る寝台装置は、医用画像診断装置本体と機械的に、および電気的に接続可能な寝台装置であって、走行部と、ロックペダルとを備える。走行部は、寝台装置と床面との間に設けられる。ロックペダルは、走行部の駆動のロック、アンロックの操作が可能である。ロックペダルによる操作と、医用画像診断装置本体との電気的な接続とは、連動する。
【図面の簡単な説明】
【０００７】
【図１】一実施形態に係る寝台装置を含むＭＲＩ装置の一構成例を示すブロック図。
【図２】（ａ）は寝台装置が装置本体と機械的に分離された様子の一例を示す説明図、（ｂ）は機械的に接続された様子の一例を示す説明図。
【図３】装置本体と寝台装置とが機械的に分離された状態における、寝台装置の内部構成の様子を概略的に示す説明図。
【図４】装置本体と寝台装置とが機械的に分離された状態における、判定部の動作の一例を示す説明図。
【図５】（ａ）は装置本体と寝台装置とが機械的に分離された状態であるとともに、キャスタ旋回ロック状態である場合の判定部の動作の一例を示す説明図、（ｂ）はキャスタフリー状態である場合の判定部の動作の一例を示す説明図、（ｃ）はキャスタロック状態である場合の判定部の動作の一例を示す説明図。
【図６】装置本体と寝台装置とが機械的に接続された状態であって、キャスタロックペダルによりキャスタがフリー状態とされている場合における、寝台装置の内部構成の様子を概略的に示す説明。
【図７】装置本体と寝台装置とが機械的に分離され、かつキャスタフリーの状態（上段）から、機械的に接続されて（中段）、キャスタロック状態とされる（下段）までの判定部の状態遷移を説明するための図。
【図８】装置本体と寝台装置とが機械的に接続された状態であって、キャスタロックペダルによりキャスタがロック状態とされている場合における、寝台装置の内部構成の様子を概略的に示す説明図。
【図９】装置本体と寝台装置との電気的な接続方法の一例を説明するための図。
【図１０】サイドフェンスを有する寝台装置の一構成例を示す概略図。
【発明を実施するための形態】
【０００８】
以下、図面を参照しながら、寝台装置の実施形態について詳細に説明する。実施形態に係る寝台装置がその本体と機械的に、および電気的に接続される医用画像診断装置としては、ＭＲＩ装置、ＳＰＥＣＴ装置やＰＥＴ装置などの核医学診断装置、Ｘ線ＣＴ装置など種々のモダリティが挙げられる。
【０００９】
ここで、医用画像診断装置の「本体」とは、撮像室内に設置されるユニットをいう。たとえばＭＲＩ装置であれば、本体とは磁石や傾斜磁場コイルなどが収められたユニットをいい、Ｘ線ＣＴ装置であれば、本体とはＸ線源およびＸ線検出器などの撮像系が収められたユニットをいう。
【００１０】
以下の説明では、実施形態に係る寝台装置と機械的に、および電気的に接続される医用画像診断装置本体として、ＭＲＩ装置の本体（以下、装置本体という）を用いる場合の例を示す。
【００１１】
図１は、一実施形態に係る寝台装置５００を含むＭＲＩ装置１の一構成例を示すブロック図である。ＭＲＩ装置１は、装置本体（磁石架台ともいう）１００、制御キャビネット３００、コンソール４００、寝台装置５００、およびＲＦ（Radio Frequency）コイル２０を有する。装置本体１００、制御キャビネット３００、および寝台装置５００は、一般に検査室に設置される。コンソール４００は一般に、検査室に隣接する制御室に設置される。
【００１２】
装置本体１００は、静磁場磁石１０、傾斜磁場コイル１１、およびＷＢ（Whole Body）コイル１２を有する。これらの構成品は円筒状の筐体に収納されている。寝台装置５００は、寝台本体５０と天板５１を有している。寝台装置５００の構成の詳細については、図２−１０を参照しながら後述する。
【００１３】
制御キャビネット３００は、傾斜磁場電源３１（Ｘ軸用３１ｘ、Ｙ軸用３１ｙ、Ｚ軸用３１ｚ）、ＲＦ受信器３２、ＲＦ送信器３３、およびシーケンスコントローラ３４を有する。
【００１４】
コンソール４００は、処理回路４０、記憶回路４１、ディスプレイ４２、および入力インターフェース４３を有する。コンソール４００は、ホスト計算機として機能する。
【００１５】
装置本体１００の静磁場磁石１０は、概略円筒形状をなしており、被検体、たとえば患者、が搬送されるボア内に静磁場を発生させる。ボアとは、装置本体１００の円筒内部の空間のことである。静磁場磁石１０は、たとえば、超電導コイルを内蔵し、液体ヘリウムによって超電導コイルが極低温に冷却されている。静磁場磁石１０は、励磁モードにおいて静磁場用電源（図示せず）から供給される電流を超電導コイルに印加することで静磁場を発生する。その後、永久電流モードに移行すると、静磁場用電源は切り離される。一旦永久電流モードに移行すると、静磁場磁石１０は長時間、たとえば１年以上に亘って、静磁場を発生し続ける。なお、静磁場磁石１０は、超電導コイルを内蔵した超電導磁石に限定されず、永久磁石であってもよい。
【００１６】
傾斜磁場コイル１１は、静磁場磁石１０と同様に概略円筒形状をなし、静磁場磁石１０の内側に固定される。傾斜磁場コイル１１は、傾斜磁場電源（３１ｘ、３１ｙ、３１ｚ）から供給される電流により、Ｘ軸、Ｙ軸、Ｚ軸の方向に傾斜磁場を形成する。
【００１７】
寝台装置５００の寝台本体５０は、天板５１を上下方向および水平方向に移動することができる。たとえば、寝台本体５０は、天板５１に載置された被検体を撮像前に所定の高さまで移動させる。また、撮像時には、天板５１を水平方向に移動させて被検体をボア内に移動させる。
【００１８】
ＷＢコイル１２は、傾斜磁場コイル１１の内側に被検体を取り囲むように概略円筒形状に固定されている。ＷＢコイル１２は、ＲＦ送信器３３から伝送されるＲＦパルスを被検体に向けて送信する。また、水素原子核の励起によって被検体から放出される磁気共鳴信号、即ちＭＲ（Magnetic Resonance）信号を受信する。
【００１９】
ＭＲＩ装置１は、ＷＢコイル１２の他、図１に示すように局所コイル２０を備える。局所コイル２０は、被検体の体表面に近接して載置されるコイルである。局所コイル２０には様々な種別があり、たとえば、図１に示すような被検体の胸部や腹部、或いは脚部に設置されるボディコイル（Body Coil）や、被検体の背側に設置されるスパインコイル（Spine Coil）といった種別がある。局所コイル２０は受信専用または、送信専用、あるいは、送信と受信を双方行う種別のものであってもよい。局所コイル２０は、たとえば、ケーブルを介して天板５１と着脱可能に構成されている。
【００２０】
ＲＦ受信器３２は、ＷＢコイル１２や局所コイル２０からのチャンネル信号、即ち、ＭＲ信号をＡＤ（Analog to Digital）変換して、シーケンスコントローラ３４に出力する。デジタルに変換されたＭＲ信号は、生データ（Raw Data）と呼ばれることもある。
【００２１】
ＲＦ送信器３３は、シーケンスコントローラ３４からの指示に基づいてＲＦパルスを生成する。生成したＲＦパルスはＷＢコイル１２に伝送され、被検体に印加される。ＲＦパルスの印加によって被検体からＭＲ信号が発生する。このＭＲ信号を局所コイル２０またはＷＢコイル１２が受信する。
【００２２】
局所コイル２０で受信したＭＲ信号、より具体的には、局所コイル２０内の各要素コイルで受信したＭＲ信号は、天板５１および寝台本体５０に設けられたケーブルを介してＲＦ受信器３２に入力される。
【００２３】
シーケンスコントローラ３４は、コンソール４００による制御のもと、傾斜磁場電源３１、ＲＦ受信器３２およびＲＦ送信器３３をそれぞれ駆動することによって被検体のスキャンを行う。スキャンによってＲＦ受信器３２から生データを受信すると、シーケンスコントローラ３４は、この生データをコンソール４００に送信する。
【００２４】
シーケンスコントローラ３４は、処理回路（図示を省略）を具備している。この処理回路は、たとえば所定のプログラムを実行するプロセッサや、ＦＰＧＡ（Field Programmable Gate Array）、ＡＳＩＣ（Application Specific Integrated Circuit）等のハードウェアで構成される。 
【００２５】
コンソール４００は、記憶回路４１、ディスプレイ４２、入力インターフェース４３、および処理回路４０を備える。記憶回路４１は、ＲＯＭ（Read Only Memory）やＲＡＭ（Random Access Memory）の他、ＨＤＤ（Hard Disk Drive）や光ディスク装置等の外部記憶装置を含む記憶媒体である。記憶回路４１は、各種の情報やデータを記憶する他、処理回路４０が具備するプロセッサが実行する各種のプログラムを記憶する。
【００２６】
ディスプレイ４２は、液晶ディスプレイパネル、プラズマディスプレイパネル、有機ＥＬパネル等の表示デバイスである。入力インターフェース４３は、たとえば、マウス、キーボード、トラックボール、タッチパネル等であり、各種の情報やデータを操作者が入力するための種々のデバイスを含む。
【００２７】
処理回路４０は、たとえば、ＣＰＵや、専用または汎用のプロセッサを備える回路である。プロセッサは、記憶回路４１に記憶した各種のプログラムを実行することによって、各種の機能を実現する。処理回路４０は、ＦＰＧＡやＡＳＩＣ等のハードウェアで構成してもよい。これらのハードウェアによっても後述する各種の機能を実現することができる。また、処理回路４０は、プロセッサとプログラムによるソフトウェア処理と、ハードウェア処理とを組み合わせて、各種の機能を実現することもできる。
【００２８】
図２（ａ）は寝台装置５００が装置本体１００と機械的に分離された様子の一例を示す説明図であり、（ｂ）は機械的に接続された様子の一例を示す説明図である。また、図３は、装置本体１００と寝台装置５００とが機械的に分離された状態における、寝台装置５００の内部構成の様子を概略的に示す説明図である。
【００２９】
本実施形態に係る寝台装置５００は、いわゆる移動式の装置であり、図２（ａ）および（ｂ）に示すように、ハンドル５２と、寝台装置５００と床面との間に設けられたキャスタ５３とを有する。キャスタ５３は、走行部の一例である。また、図３に示すように、寝台装置５００は、キャスタロックペダル５４と、結合ペダル５５と、分離ペダル５６とを有する。
【００３０】
また、寝台装置５００は、寝台側連結ユニット５０１を有する。寝台側連結ユニット５０１は、本体側連結ユニット１０１と機械的に接続するための機械的接続機構を有する。以下の説明では、機械的接続機構として、装置本体１００と寝台装置５００とを機械的に確実に接続するための固定機構と、装置本体１００と寝台装置５００の配線を接続するためのコネクタと、を用いる場合について説明する。
【００３１】
この場合、装置本体１００と寝台装置５００とを機械的に接続する際には、まず、固定機構により装置本体１００と寝台装置５００とを機械的にしっかりと連結してから、コネクタによる機械的な接続をして配線を接続することが好ましい。固定機構による連結を完了させておくことにより、コネクタどうしを正確に対面させることができるため、コネクタのピンが折れてしまい破損するなどの事故を未然に防ぐことができる。
【００３２】
固定機構は、たとえば油圧で動作するシリンダにより制御される。コネクタは、固定機構による連結が完了した後、たとえばバネによって押し込まれることにより互いに機械的に接続される。
【００３３】
なお、機械的な接続、すなわち、固定機構による機械的な接続とコネクタによる機械的な接続および配線の接続との両方の接続、が完了した直後は、電気的な接続は行われていない。突然のショートを避けるためである。この時点では、配線の一部が開放された状態であり、装置本体１００から寝台装置５００への通電は不可能である。本実施形態に係る寝台装置５００は、機械的な接続が完了し、かつ電気的な接続が可の状態であることが検出されて初めて、装置本体１００との電気的な接続を行う。
【００３４】
寝台側連結ユニット５０１は、機械的接続機構による機械的な接続状態を検出するための部材を有する。以下の説明では、当該部材の一部として挿抜片５０２を用いる場合の例を示す。挿抜片５０２は、装置本体１００と寝台装置５００とが機械的に分離した状態であると、寝台側連結ユニット５０１から突出した状態である一方（図２（ａ）参照）、機械的に接続されると寝台側連結ユニット５０１に押し込まれた挿入状態となるよう構成される（図２（ｂ）参照）。
【００３５】
なお、この種の機械的接続機構としては従来各種のものが知られており、これらのうち任意のものを使用することが可能である。本実施形態では、本体側連結ユニット１０１と寝台側連結ユニット５０１を利用することで機械的接続機構による機械的な接続（以下、適宜、機械的な接続と称する）が確実に達成されるものとし、挿抜片５０２が寝台側連結ユニット５０１に押し込まれた状態となると機械的な接続が完了したものとみなす場合の例について説明する。
【００３６】
キャスタロックペダル５４は、キャスタ５３の駆動のロック、アンロックの操作が可能なペダルである。キャスタロックペダル５４は、装置本体１００と寝台装置５００とが機械的に接続されると、ユーザにより、キャスタ５３の駆動をロックするように操作される。キャスタロックペダル５４は、ロックペダルの一例である。
【００３７】
結合ペダル５５は、機械的接続機構による機械的な接続を行うためのペダルである。結合ペダル５５は、装置本体１００と寝台装置５００とが機械的および電気的に分離している場合には、たとえば天板５１の上昇用または下降用の一方のペダルとして機能してもよい。
【００３８】
分離ペダル５６は、装置本体１００と寝台装置５００とが機械的に接続されているとき、互いを機械的に分離するためのペダルである。分離ペダル５６は、装置本体１００と寝台装置５００とが機械的および電気的に分離している場合には、たとえば天板５１の上昇用または下降用の他方のペダル（結合ペダル５５と相補する機能）として機能してもよい。
【００３９】
装置本体１００と寝台装置５００とが電気的に接続されているときに、通電状態にある機器に対する給電が意図せずに瞬間的に遮断されてしまうと、これらの機器に損害を与えてしまう場合がある。このため、装置本体１００と寝台装置５００とが機械的および電気的に接続されているときは、意図せずに電気的な接続を分離しないようにすることが好ましい。
【００４０】
そこで、本実施形態に係る寝台装置５００は、機械的な分離の可否を判定する判定部５１０を有する。判定部５１０は、装置本体１００と寝台装置５００とが機械的および電気的に接続されているときは、機械的な分離を不可と判定し、分離ペダル５６による機械的な分離操作をロックする。
【００４１】
具体的には、分離ペダル５６は、装置本体１００と寝台装置５００との機械的な接続状態と、電気的な接続が可の状態か不可の状態かと、に応じて動作が制限される。たとえば、分離ペダル５６は、装置本体１００と寝台装置５００との機械的な接続が検出され、かつ、装置本体１００と寝台装置５００との電気的な接続が可の状態であると検出されると、装置本体１００と寝台装置５００とを機械的に分離するための動作がロックされる。
【００４２】
機械的に接続状態にあるか分離状態にあるかは、上述のとおり、挿抜片５０２などの寝台側連結ユニット５０１の状態にもとづいて検出することができる。
【００４３】
電気的な接続が可の状態か不可の状態かは、コネクタが機械的に接続されているか否かにもとづいて検出する。たとえば、キャスタロックペダル５４によってキャスタ５３の駆動がロックされた場合、ユーザには寝台装置５００を現在の位置で固定する意思があるものと予想できる。このため、コネクタが機械的に接続されているときに、キャスタ５３の駆動がロックされた場合は、ユーザが突然に機械的な分離を行う可能性は低いと考えられる。
【００４４】
そこで、本実施形態に係る寝台装置５００は、キャスタロックペダル５４の操作と、電気的な接続とを連動させる。また、本実施形態に係る寝台装置５００は、機械的な接続が検出され、かつ、キャスタロックペダル５４によってキャスタ５３の駆動がロックされると、電気的な接続が可の状態であると検出する。また、キャスタロックペダル５４によってキャスタ５３の駆動がアンロックされると、電気的な接続が不可の状態であると検出し、装置本体１００と寝台装置５００とを電気的に分離する。
【００４５】
続いて、本実施形態に係る寝台装置５００の具体的な構成例および動作例について説明する。
【００４６】
図３に示すように、装置本体１００と寝台装置５００とが機械的接続機構によって機械的に接続されて挿抜片５０２が押し込まれると、挿抜片５０２は揺動支持片５０３を介してバネ５０４を変形させる。
【００４７】
寝台装置５００は、この挿抜片５０２の移動量を判定部５１０のブロック５１１に伝達する伝達手段として、たとえば図３に示すように、アウターワイヤ５２２を有する連結連動ワイヤ５２１を有する。また、寝台装置５００は、キャスタロックペダル５４の操作量を判定部５１０のブロック５１１に伝達する伝達手段として、たとえば図３に示すように、アウターワイヤ５３２を有するキャスタペダル連動ワイヤ５３１を有する。
【００４８】
判定部５１０のブロック５１１は、挿抜片５０２の移動量とキャスタロックペダル５４の操作量とに応じて移動し、いわゆる機械的なＡＮＤ機構として動作する。
【００４９】
まず、装置本体１００と寝台装置５００とが機械的に分離された状態における寝台装置５００の動作例について説明する。
【００５０】
図４は、装置本体１００と寝台装置５００とが機械的に分離された状態における、判定部５１０の動作の一例を示す説明図である。
【００５１】
また、図５（ａ）は装置本体１００と寝台装置５００とが機械的に分離された状態であるとともに、キャスタ旋回ロック状態である場合の判定部５１０の動作の一例を示す説明図であり、（ｂ）はキャスタフリー状態である場合の判定部５１０の動作の一例を示す説明図であり、（ｃ）はキャスタロック状態である場合の判定部５１０の動作の一例を示す説明図である。
【００５２】
本実施形態に係るキャスタロックペダル５４は、キャスタ５３の旋回を抑制する旋回ロック状態と、キャスタ５３の旋回も直進も許容するフリー状態と、キャスタ５３の駆動の一切をロックするロック状態と、の３つの状態のいずれかにキャスタ５３の駆動を遷移させることができる。なお、旋回ロック状態は、たとえば右前輪または左前輪の旋回のみをロックする状態であり、直進は許容される。このため、ユーザが寝台装置５００を現在の位置で固定する意思があるとは断定できず、本実施形態では、旋回ロック状態は、フリー状態とともに、キャスタ５３の駆動がアンロック状態であるものとしてあつかう。
【００５３】
寝台装置５００は、ブロック５１１の移動量を伝達する伝達手段として、たとえば図３に示すように、アウターワイヤ５４２を有するロックピン連動ワイヤ５４１を有する。
【００５４】
分離ペダル５６は、分離ロックピン５５１が挿入される開口５６ａを有する。分離ロックピン５５１は、バネ５５２により開口５６ａに向けて常時付勢される。
【００５５】
連結連動ワイヤ５２１は、一端５２１ａがブロック５１１の内部に設けられた第１制限領域５１２に位置し、他端５２１ｂが揺動支持片５０３に固設される。キャスタペダル連動ワイヤ５３１は、一端５３１ａがブロック５１１の内部に設けられた第２制限領域５１３に位置し、他端５３１ｂが、キャスタロックペダル５４に設けられたキャスタロック検知センサ５６０に接続される。ロックピン連動ワイヤ５４１は、一端５４１ａがブロック５１１に固設され、他端５４１ｂが分離ロックピン５５１に固設される。
【００５６】
キャスタロック検知センサ５６０は、装置本体１００と寝台装置５００とが機械的に接続されると動作し、キャスタロック状態か否か（アンロック状態か）の情報を出力する。
【００５７】
図３に示すように、寝台側連結ユニット５０１のバネ５０４と分離ロックピン５５１のバネ５５２の強度は、装置本体１００と寝台装置５００とが機械的に分離された状態において、寝台側連結ユニット５０１のバネ５０４が連結連動ワイヤ５２１を引く力Ｆ１が、分離ロックピン５５１のバネ５５２がロックピン連動ワイヤ５４１を引く力Ｆ２よりも大きくなるように設定される。
【００５８】
このため、装置本体１００と寝台装置５００とが機械的に分離された状態では、図４に示すように、第１制限領域５１２に位置する連結連動ワイヤ５２１の一端５２１ａは、第１制限領域５１２の図中左側壁を図中左側に引きつける。
【００５９】
いま、ブロック５１１がレール５１１ａ（図５（ａ）、（ｂ）、（ｃ）参照）に沿って移動する方向をｓとし、このとき連結連動ワイヤ５２１の一端５２１ａが位置する座標をｓ＝ｓ１とする。このとき、第２制限領域５１３に位置するキャスタペダル連動ワイヤ５３１の一端５３１ａは、キャスタロックペダル５４の操作に応じて、第２制限領域５１３内を自由に動く（図５（ａ）、（ｂ）、（ｃ）参照）。以下の説明では、旋回ロック状態でｓ＝ｓ１、フリー状態でｓ＝ｓ２、ロック状態でｓ＝ｓ３に位置するものとする。
【００６０】
図５（ａ）、（ｂ）、（ｃ）に示すとおり、装置本体１００と寝台装置５００とが機械的に分離された状態では、キャスタロックペダル５４の操作によらず、ロックピン連動ワイヤ５４１の一端５４１ａはｓ＝ｓ４の位置から動かず、分離ロックピン５５１が分離ペダル５６の開口５６ａに挿入されることはない（図３参照）。
【００６１】
次に、装置本体１００と寝台装置５００とが機械的に接続された状態における寝台装置５００の動作例について説明する。
【００６２】
図６は、装置本体１００と寝台装置５００とが機械的に接続された状態であって、キャスタロックペダル５４によりキャスタ５３がフリー状態とされている場合における、寝台装置５００の内部構成の様子を概略的に示す説明図である。
【００６３】
また、図７は、装置本体１００と寝台装置５００とが機械的に分離され、かつキャスタフリーの状態（上段）から、機械的に接続されて（中段）、キャスタロック状態とされる（下段）までの判定部５１０の状態遷移を説明するための図である。
【００６４】
装置本体１００と寝台装置５００とが機械的に接続された状態では、連結連動ワイヤ５２１の一端５２１ａは、挿抜片５０２によってバネ５０４の付勢力が効かなくなるとともに、揺動支持片５０３の移動に応じて第１制限領域５１２で図中右側に移動する。このとき、本実施形態では、一端５２１ａはｓ＝ｓ３に位置するものとする（図４参照）。
【００６５】
バネ５０４の付勢力が効かなくなるため、ブロック５１１は、今度はバネ５５２の付勢力により図中右側に引きつけられ、ロックピン連動ワイヤ５４１が図中右側に送り出される。このとき、キャスタペダル連動ワイヤ５３１の一端５３１ａは、第２制限領域５１３の左側壁を食い止める役割を果たす。このため、ブロック５１１の位置は、キャスタペダル連動ワイヤ５３１の一端５３１ａに応じて、すなわち、キャスタロックペダル５４の操作に応じて、規定される。
【００６６】
したがって、装置本体１００と寝台装置５００とが機械的に接続され、キャスタロック状態におけるロックピン連動ワイヤ５４１の一端の５４１ａがｓ＝ｓ６に位置するときに、分離ロックピン５５１が開口５６ａに挿入されるように設計しておけば、装置本体１００と寝台装置５００とが機械的に接続され、かつ、キャスタロック状態である場合に、分離ペダル５６による分離動作をロックすることができる。
【００６７】
図８は、装置本体１００と寝台装置５００とが機械的に接続された状態であって、キャスタロックペダル５４によりキャスタ５３がロック状態とされている場合における、寝台装置５００の内部構成の様子を概略的に示す説明図である。
【００６８】
図８に示すように、装置本体１００と寝台装置５００とが機械的に接続され、かつ、キャスタロック状態であれば、容易かつ確実に分離ペダル５６による分離動作をロックすることができる。
【００６９】
次に、装置本体１００と寝台装置５００との電気的な接続方法について説明する。
【００７０】
図９は、装置本体１００と寝台装置５００との電気的な接続方法の一例を説明するための図である。
【００７１】
図９に示すように、装置本体１００は、給電制御回路１５０を有する。給電制御回路１５０の前段にはＡＮＤ回路が設けられる。このＡＮＤ回路には、固定機構による機械的な接続を検知するセンサ出力と、コネクタによる機械的な接続を検知するセンサ出力とが入力される。
【００７２】
一方、寝台装置５００は、制御部５６１は、装置本体１００と寝台装置５００との電気的な接続および電気的な分離を制御する。制御部５６１は、たとえばキャスタロック検知センサ５６０からキャスタロック状態である旨の出力を受けると、装置本体１００と寝台装置５００とを電気的に接続するとよい。制御部５６１が装置本体１００と寝台装置５００とを電気的に接続すると、ＡＮＤ回路が１を出力する。そして、給電制御回路１５０が寝台装置５００への給電を開始する。このとき、給電のほか、データの送受信が行われてもよい。
【００７３】
なお、本実施形態では、コネクタが機械的に接続されると、装置本体１００からキャスタロック検知センサ５６０へと微電流が供給されてキャスタロック検知センサ５６０が動作を開始するが、この段階ではまだキャスタロック検知センサ５６０を除く寝台装置５００の他のコンポーネントには給電されないものとする。
【００７４】
また、本実施形態では、装置本体１００と寝台装置５００とが機械的に分離されている状態では、寝台装置５００の各コンポーネントが動力源として油圧を利用するなどして電力を用いない場合の例について説明したが、寝台装置５００は２次電池を備えても構わない。この場合、装置本体１００と寝台装置５００とが機械的および電気的に接続されると、装置本体１００の電源回路は、給電制御回路１５０に制御されて、寝台装置５００の２次電池を充電してもよい。
【００７５】
本実施形態に係る寝台装置５００は、キャスタロックペダル５４の操作のように、装置本体１００と寝台装置５００との機械的な接続および分離の際に実行される操作と、装置本体１００との電気的な接続とを連動させることができる。このため、装置本体１００と寝台装置５００とが電気的に接続されているにもかかわらず装置本体１００と寝台装置５００とが意図せずに機械的に分離されてしまう事故を、容易かつ確実に防ぐことができる。したがって、通電状態にある機器に対する給電が意図せずに瞬間的に遮断されてしまうことがなく、これらの給電遮断により寝台装置５００のモータ等の動作機構やセンサ制御用等の制御基板、装置本体１００の電源回路などに生じうる障害を未然に防ぐことができる。
【００７６】
なお、装置本体１００と寝台装置５００とが機械的に接続され、かつ、キャスタロック状態で分離ペダル５６による分離動作をロックすることができれば、通電の瞬間的な遮断を回避することができる。このため、キャスタ５３の駆動のアンロック状態は、キャスタフリー状態のみでもよいし、キャスタフリー状態および旋回ロック状態に加えて１以上の状態が定義されてもよい。
【００７７】
また、上記実施形態では、判定部５１０による判定結果に連動して機械的な接続を判定し、電気的な接続の可否はキャスタロックペダル５４の操作に応じて判定する場合の例を示したが、判定部５１０による判定結果に連動して電気的な接続および電気的な分離を制御してもよい。この場合、たとえば、キャスタロック検知センサ５６０と分離ロックピン５５１とにもとづいて電気的な接続および分離を制御することが考えられる。
【００７８】
また、装置本体１００と寝台装置５００との機械的な接続および分離の際に実行される操作であれば、キャスタロックペダル５４の操作に限られない。
【００７９】
図１０は、サイドフェンス５７を有する寝台装置５００の一構成例を示す概略図である。寝台装置５００は、被検体を載置する位置の近傍にサイドフェンス５７が設けられてもよい。サイドフェンス５７を有する場合、寝台装置５００のユーザは、機械的に分離するときは、寝台装置５００の移動中における被検体の転落を防止するようサイドフェンス５７を立ち上げ、装置本体１００と寝台装置５００とを機械的に接続するときはサイドフェンス５７を下げると考えられる。
【００８０】
そこで、サイドフェンス５７の傾きを、キャスタロックペダル５４の状態にかえて、あるいはキャスタロックペダル５４の状態とあわせて、装置本体１００と寝台装置５００との電気的な接続の可否判定に利用してもよい。図１０には、寝台装置５００が、サイドフェンス５７の操作量をブロック５１１に伝達する伝達手段として、アウターワイヤ５７２を有するフェンス連動ワイヤ５７１を有するとともに、サイドフェンス５７が下がっているか否かの情報を出力する。サイドフェンス５７が下がっていない場合には、サイドフェンス５７が垂直に立ち上がっている場合のほか、点滴や注射における被検体の手の載置用のテーブルとして水平に張り出された状態を含む。
【００８１】
以上説明した少なくとも１つの実施形態によれば、機械的に、および電気的に接続状態にある医用画像診断装置本体から、寝台装置を安全に分離することができる。
【００８２】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１  ＭＲＩ装置
５０  寝台本体
５３  キャスタ
５４  キャスタロックペダル
５６  分離ペダル
５７  サイドフェンス
１００  装置本体
１０１  本体側連結ユニット
５００  寝台装置
５０１  寝台側連結ユニット
５１０  判定部
５１１  ブロック
５２１  連結連動ワイヤ
５３１  キャスタペダル連動ワイヤ
５４１  ロックピン連動ワイヤ
５５１  分離ロックピン
５６０  キャスタロック検知センサ
５６１  制御部
５７１  フェンス連動ワイヤ
【図１】
2019141115.tif 000003
【図２】
2019141115.tif 000004
【図３】
2019141115.tif 000005
【図４】
2019141115.tif 000006
【図５】
2019141115.tif 000007
【図６】
2019141115.tif 000008
【図７】
2019141115.tif 000009
【図８】
2019141115.tif 000010
【図９】
2019141115.tif 000011
【図１０】
2019141115.tif 000012